(57)【要約】【課題】複数の視標を配置した視標テープの送り時間を短縮し、視力測定時間を短縮することができるようにした視力測定装置を提供する。【解決手段】視力測定装置の複数の視標を配置した視標テープ２１は、小さい視力値に対応する複数の視標群２２ａ、２２ｎの間に、それらの視標群２２ａ、２２ｎよりも大きな視力値に対応する補助視標群２３ａ、２３ｂを配置して構成される。視力値の小さい視標と、それよりも大きい視標値を有する補助視標間の視標テープ２１の送り時間を短縮することができる。従って、小さい視標が見えた場合、補助視標により、その被測定者の視力の当りを付け、被測定者の視力に近い位置から測定を行なう測定手法を視標テープ２１の送り時間を小さくした形で実現することができる。【選択図】　図３
2004097282.tif 000002
【特許請求の範囲】
【請求項１】
それぞれ、視力値に対応する大きさを有する複数の視標からなり、視力値の異なる複数の視標を該視力値の小さいものから大きいものへ順番に配置した視標テープを有し、該視標テープを視標の配列方向に駆動して、該視標テープに配列された視標の一つを表示窓に表示させる表示装置と、該表示窓に表示させる視標を選択する視標選択手段を有する制御装置と、を備えた視力測定装置において、
前記視標テープは、
小さい視力値に対応する複数の視標の間に、それら視標の視力値より大きな視力値に対応する視標を配置した、
ことを特徴とする、視力測定装置。
【請求項２】
前記視標テープに配置される視標は、
被測定者の視力を決定するための視標と、
被測定者の視力の見当をつけるための、前記視標とは別に設けられた補助視標からなり、
小さい視力値に対応する複数の視標の間に配置されるそれらの視力値より大きな視力値に対応する視標は前記補助視標である、
ことを特徴とする請求項１記載の視力測定装置。
【請求項３】
前記制御装置は、
表示装置に表示された視標に対する被測定者の応答の正、誤を入力する応答入力手段を有し、該応答入力手段の操作に応じて、前記表示窓に表示する視標を順次切換える視力測定手順実行手段を有する、
ことを特徴とする、請求項１記載の視力測定装置。
【請求項４】
前記視力測定手順実行手段は、
前記応答入力手段の操作に応じて、前記視標の大きさを変えることなく、異なる方向の視標を表示させることのできる視標表示手段を有する、
ことを特徴とする、請求項３記載の視力測定装置。
【発明の詳細な説明】
【０００１】
【発明の属する技術分野】
本発明は、視標テープ上に配列された複数の視標を一つずつ表示して視力の測定を行なう視力測定装置に関する。
【０００２】
【従来の技術】
視力値に対応する４方向の視標で構成され測定すべき視力値に対応する複数の視標群を、視力値順（視標の大きさ順）に視標テープ上に配置し、それらの視標の中から任意の視標を一つずつ表示窓に表示して、被測定者の視力を測定するようにした通常「字一つ視力計」と言われる視力測定装置がある。この視力測定装置は、被測定者が視標の配列を覚えることができないため、正確な視力測定を行なうことができる。
【０００３】
視力の測定においては、視標の大きいものから小さいものへ順番（視力では、０．１、０．２、・・、１．５、２．０等の順）に測定することにより、測定の時間はかかるが、被測定者を視力測定に慣れさせると共に、測定の最初から視標が見えないことによるストレスをなくし、より正確な測定を行なうことができる。
【０００４】
【発明が解決しようとする課題】
集団検診等で多数の被測定者の視力測定を行なう場合には、視力値の間隔を飛ばして表示窓に視標を表示することにより、被測定者の視力の見当を付け、その前後で視力を測定している。しかし、前記字一つ視力計のように、視標テープ上に複数の視標群をその大きさ順に並べて配置した視力測定装置の場合、視標を配置した視標テープを往復移動させる繰り返しが多くなり、視標テープの送り量が多くなって、測定に時間がかかっていた。
【０００５】
前記の事情に鑑み、本発明は、複数の視標を配置した視標テープの送り時間を短縮し、視力測定時間を短縮することができるようにした視力測定装置を提供することを目的とする。
【０００６】
【課題を解決するための手段】
請求項１に係る発明は、それぞれ、視力値に対応する大きさを有する複数の視標からなり、視力値の異なる複数の視標（２２ａ〜２２ｎ）を該視力値の小さいものから大きいものへ順番に配置した視標テープ（２１）を有し、該視標テープ（２１）を視標（２２ａ〜２２ｎ）の配列方向に駆動して、前記視標テープ（２１）に配列された視標（２２ａ〜２２ｎ）の一つを表示窓（２７）に表示させる表示装置（１０）と、該表示窓（２７）に表示させる視標（２２ａ〜２２ｎ）を選択する視標選択手段を有する制御装置と、を備えた視力測定装置において、
前記視標テープ（２１）は、
小さい視力値に対応する複数の視標（２２ａ、２２ｂ）の間に、それ等視標の視力値よりも大きな視力値に対応する視標（２３ａ、２３ｂ）を配置して構成される。
【０００７】
請求項２に係る発明は、請求項１記載の視力測定装置において、
前記視標テープ（２１）に配置される視標は、
被測定者の視力を決定するための視標（２２ａ〜２２ｎ）と、
被測定者の視力の見当をつけるための補助視標（２３ａ、２３ｂ）からなり、小さい視力値に対応する複数の視標（２２ａ、２２ｂ）の間に、それらの視力値より大きな視力値に対応する補助視標（２３ａ、２３ｂ）を配置して構成される。
【０００８】
請求項３に係る発明は、請求項１記載の視力測定装置において、
前記制御装置（４０）は、
表示装置（１０）に表示された視標（ａ〜ｄ）に対する被測定者の応答の正、誤を入力する応答入力手段（４３）、を有し、該応答入力手段（４３）の操作に応じて、前記表示窓（２７）に表示する視標（ａ〜ｄ）を順次切換える視力測定手順実行手段（４１、ＳＭＰ）を有して構成される。
【０００９】
請求項４に係る発明は、請求項３記載の視力測定装置において、
前記制御装置（４０）は、
前記応答入力手段（４３）の操作に応じて、前記視標の大きさを変えることなく、９０度異なる方向の視標を表示させる視標表示機能（４５）を有して構成される。
【００１０】
なお、括弧内の符号等は、図面と対照するためのものであり、これは、発明の理解を容易にするための便宜的なものであって、特許請求の範囲に何等影響を及ぼすものではない。
【００１１】
【発明の効果】
請求項１に係る発明によると、視力値の小さい視標の間に、それらより視力値の大きい視標を配置しているので、視標テープの送り量を小さくして、被測定者の視力の見当を付けることができ、視力測定の時間を短縮することができる。
【００１２】
請求項２に係る発明によると、視標は、視力を決定するための視標と、視力の見当をつける補助視標で構成しているので、視標テープの送り量の増加を抑え、視力測定の時間を短縮することができる。
【００１３】
請求項３に係る発明によると、視力測定手順実行手段により、視力測定の自動化が可能になり、測定者の操作性を向上させ、視力測定時間を短縮することができる。
【００１４】
請求項４に係る発明によると、被測定者の乱視等の影響を受けずに視力が測定可能なので、被測定者の視力をより確実に測定することができる。
【００１５】
【発明の実施の形態】
以下、本発明の実施の形態を図面に基づいて説明する。
【００１６】
図１乃至図６は、本発明の実施の形態を示すもので、図１は、本発明の視力測定装置による視力測定状態を示す斜視図、図２は、図１における表示装置の内部を示す斜視図、図３は、図２における視標テープの展開図、図４は、図１に示す制御装置の正面図、図５は、図１における制御装置のブロック線図、図６は、視力測定のプログラムを示す説明図である。
【００１７】
図１に示すように、本発明の視力測定装置１は、視標を表示する表示装置１０と、該表示装置１０を制御する制御装置４０で構成され、該表示装置１０と対向するように被測定者２を立たせ、測定者３が制御装置４０を操作して、該表示装置１０に所要の大きさの視標ｄを表示させ、被測定者２の視力の測定を行なう。
【００１８】
図２に示すように、前記表示装置１０は、ベース１１上に所定の間隔で立設された一対のフレーム１２、１２を有しており、それらフレーム１２、１２の間には、一対の回転軸１３、１３が回転自在に支持されている。各回転軸１３、１３は、それぞれの一端に固定されたタイミングプーリ１５、１５と、該タイミングプーリ１５、１５に掛け渡されたタイミングベルト１６を介して接続されている。前記各回転軸１３、１３には、それぞれ一方向回転クラッチ（図示せず）を介して、リール１７、１８がそれぞれ逆方向（視標テープを巻き取る方向）に回転するように支持され、モータ２０によって駆動される。
【００１９】
前記リール１７、１８には、視標テープ２１が巻き掛けられている。この視標テープ２１には、視力値を測定するための複数の視標群（図３参照）と、これら視標群を構成するの個々の視標（図２では、図３に示す視標群２２ａの最初の視標ａが示されている）の位置を検出するためのマーカー２５が配置されている。なお、リール１７、１８に巻き込まれる視標テープ２１上のマーカー２５の通路と対向するようにセンサ（図示せず）が配置され、各視標の位置を検出するように構成されている。
【００２０】
図３に示すように、前記視標テープ２１には、視力値（０．１、０．１５、０．２、０．３、・・１．２、１．５、２．０）に対応する１４種類の視標群２２ａ〜２２ｍが配置され、各視標群２２ａ〜２２ｍは、それぞれ開口部の方向が異なる各４個の視標ａ〜ｄで構成されている。
【００２１】
本実施の形態における視標テープ２１には、最も小さい視力値０．１に対応する視標群２２ａと２番目に小さい視力値０．１５に対応する視標群２２ｎの間に、視力値０．３に対応する補助視標群２３ａと、視力値０．７に対応する補助視標群２３ｂが配置されている。前記補助視標群２３ａ及び２３ｂは、それぞれ開口方向（上、下、左、右）が異なる２個の視標ａ、ｂで構成されている。また、前記視標群２２ｎは、それぞれ開口方向の異なる４個の視標ａ〜ｄで構成されている。なお、補助視標群２３ａ、２３ｂを除く視標群２２ａ、２２ｎ、２２ｂ、２２ｃ、・・・、２２ｍは、図３の上方から下方に向けてその視力値が順次大きく（即ち、視標の大きさが順次小さく）なるように配列されている。
【００２２】
図１において、前記表示装置１０は、前記機構部（図２参照）を覆うカバー２６が設けられ、該カバー２６には、前記視標テープ２１に配置された視標が一個だけ表示し得る表示窓２７が形成されている。また、カバー２６には、赤外線受信部２８が配置されている。なお、前記表示装置１０内には、図５に示すように、視標テープ２１の送り方向を制御するテープ駆動制御部３０が配置され、後述する制御装置４０からの指令に基づいて、前記モータ２０の回転方向を制御すると共に、前記センサの出力により視標テープ２１の送りを停止させ、前記制御装置４０から指示された視標ａ（又は、ｂ〜ｄの何れか）を前記表示窓２７の位置に停止させるようになっている。
【００２３】
図４、図５に示すように、制御装置４０は、主制御部４１と、内部バスを介して該主制御部４１に接続され、前記表示装置１０の表示窓２７に表示された視標の開口方向と視力値を示す表示部４２と、前記被測定者２の応答の正・誤を入力するスイッチ４３ａ、４３ｂで構成される応答入力手段４３と、前記視標の大きさを変えることなくその開口部の方向を切りかえるスイッチ４５ａ〜４５ｄで構成される方向切替手段４５と、各視力値に対応する視標群２２ａ〜２２ｎを選択するスイッチ４６ａ〜４６ｎと、測定状態をリセットするスイッチ４６ｐを有する視標選択手段４６とを備えている。そして、応答入力手段４３と方向切替手段４５及び視標選択手段４６の操作は、赤外線発信部４７を介して、前記表示装置１０に向けて発信される。なお、制御装置４０には、主制御部４１に接続されたプログラム記憶部４８が配置され、図６に示すような測定プログラムが記憶されている。
【００２４】
視力測定装置１は、前記のような構成であるので、制御装置４０の視標選択手段４６のスイッチ４６ａ（又は、４６ｂ〜４６ｐの何れか）を押し操作すると、制御装置４０の主制御部４１は、操作されたスイッチ４６ａ（又は、４６ｂ〜４６ｐの何れか）を検出して、そのスイッチ４６ａ（又は、４６ｂ〜４６ｐの何れか）で指定された視力値に対応する視標群２２ａ（又は、２２ｂ〜２２ｍの何れか）の中からランダムに視標ａ（又は、ｂ〜ｄの何れか）を選択し、視標ａ〜ｄの大きさとその開口方向の指示を作成し、赤外線発信部４７に送り赤外線発信記４７から表示装置１０に向けて指示を発信させる。同時に、主制御部４１は、表示装置１０に対して指示した視標ａ（又は、ｂ〜ｄの何れか）と同じ開口方向と、その視力値を制御装置４０の表示部４２に表示させる。
【００２５】
表示装置１０は、赤外線受信部２８で制御装置４０からの指示を受けると、受信した指示をテープ駆動制御部３０に送り、該テープ駆動制御部３０で受信した指示の内容を、視標テープ２１の送り方向とマーカー２５の表示に解析して、モータ２０を回転駆動させる。モータ２０が回転すると、一対の回転軸１３を同方向に回転させる。このとき、各回転軸１３と各リール１７、１８の間に一方向回転クラッチが配置されているため、その回転方向が視標テープ２１を巻取る方向になるリール１７（１８）が回転駆動され、他方のリール１８（１７）は、視標テープ２１に引かれて従動回転する。
【００２６】
このようにしてリール１７（１８）に視標テープ２１を巻取り、制御装置４０から指示された視力値０．１（又は、０．１５〜２．０の何れか）に対応する視標群２２ａ（又は、２２ｂ〜２２ｎの何れか）の視標ａ（又は、ｂ〜ｄの何れか）を表示窓２７に対応する位置へ向けて移動させる。そして、前記センサが前記視標ａ（又は、ｂ〜ｄの何れか）に対応するマーカー２５を検出すると、モータ２０が停止して制御装置４０から指示された視標群２２ａ（又は、２２ｂ〜２２ｎの何れか）の視標ａ（又は、ｂ〜ｄの何れか）を表示窓２７に表示させることができる。
【００２７】
以下、視力測定装置１による視力測定を行なう際には、主制御部４１はプログラム記憶部４８に格納された図６に示す視力測定プログラムＳＭＰに従って、視力測定を行なう。以下その手順を説明する。表示装置１０と対向するように、所定の位置に被測定者２を立たせ、測定者３は制御装置４０の視標選択手段４６のスイッチ４６ｐを押す。
【００２８】
すると、表示装置１０のモータ２０が回転して、一対の回転軸１３、１３を同方向に回転させる。このとき、各回転軸１３、１３と各リール１７、１８の間に一方向回転クラッチが配置されているため、その回転方向が視標テープ２１を巻き取る方向になるリール１７（１８）が回転駆動され、他方のリール１８（１７）は、視標テープ２１に引かれて従動回転する。このようにして、リール１７（１８）に視標テープ２１を巻き取り、最初に表示する視力値０．１に対応する視標群２２ａの視標ａ（又は、ｂ〜ｄの何れか）を、表示装置１０の表示窓２７に対応する位置へ移動させる。
【００２９】
以降の測定手順においては、表示された視標に対する被測定者２の応答状況に応じて、測定者３は制御装置４０の応答入力手段４３のスイッチ４３ａ、４３ｂ、方向切替手段４５のスイッチ４５ａ〜４５ｄ、視標選択手段４６のスイッチ４６ａ〜４６ｐを操作する。これにより、その操作に応じて、視標テープ２１の送りが行なわれ、表示装置１０の表示窓２７に所要の視標群２２ａ〜２２ｎと補助視標群２３ａ、２３ｂの視標ａ〜ｄの内の一つが表示される。以下の説明においては、視標テープ２１の送りについてはその説明を省略する。
【００３０】
表示装置１０の表示窓２７には、視力０．１に対応する視標群２２ａの内の一つの視標ａ（又は、ｂ〜ｄの何れか、どの視標が表示されるかは、制御装置４０の主制御部４１でランダムに設定する。以下同様。）が表示される。このとき、制御装置４０の表示部４２にも、表示装置１０の表示窓２７に表示された視標ａの開口部と同方向の開口形状と、該視標ａに対応する視力値０．１が表示される。この状態で、被測定者２の応答を確認する。そして、被測定者２の応答が正しい場合には、応答入力手段４３のスイッチ４３ａを押す（ステップＡ）。
【００３１】
被測定者２の応答が誤っている場合には、測定者３は、応答入力手段４３のスイッチ４３ｂを押す。すると、主制御部４１は、視力測定プログラムＳＭＰに基づいて、表示窓２７に、視力０．１の視標ａと開口方向が９０度異なる視標ｃ（又は、ｄ）を表示する。この状態で被測定者２の応答を確認する。そして、被測定者２の応答が正しい場合には、応答入力手段４３のスイッチ４３ａを押す。再び、被測定者の応答が誤っている場合には、被測定者２の視力が０．１以下であるとして、測定を終了する（ステップＡ）。
【００３２】
このように、被測定者２が視標ａのときその応答が誤っているのに、開口方向を９０度変えた視標ｃ（又は、ｄ）に対して正しい応答をした場合、その被測定者２には、乱視等の疑いがあると判定することができる。以下、視力値を変えたとき、被測定者２の応答が誤っている場合には、同様の操作を繰り返すことにより、被測定者２に乱視等の疑いがあるか否かを判定することができる。
【００３３】
また、視力値が同じで開口方向が異なる視標ａ（又は、ｂ）と視標ｃ（又は、ｄ）の何れについても、被測定者２の応答が誤っている場合、被測定者２には、その視力値に対応する視標ａ（又は、ｂ〜ｄ）が識別できないものと見做し、被測定者２の視力は、表示されている視標ａ（又は、ｂ〜ｄ）の視力値より小さいものと判定する。
【００３４】
前記のように、被測定者２が、前記表示窓２７に表示された視標ａ（又は、ｂ〜ｄ）を正しく識別することができない場合、測定者３は、応答入力手段４３のスイッチ４３ｂを操作する。この応答入力手段４３のスイッチ４３ｂを操作した場合、主制御部４１は、視力測定プログラムＳＭＰに基づいて、表示窓２７に表示されていた視標ａ（又は、ｂ〜ｄ）の大きさ（視力値）を変えることなく、開口方向に異なる視標ｃ（又は、ｂ〜ｄ）を表示するようにすることができる。即ち、スイッチ４３ｂの操作で視標ａ（又は、ｂ〜ｄ）の開口方向を切換えるようにしておくことにより、応答入力手段４３の操作で、被測定者２が乱視等の可能性があっても正確な視力値を測定することができる。
【００３５】
また、応答入力手段４３のスイッチ４３ｂを操作して、表示窓２７に視力値が同一で開口方向の異なる視標ｃ（又は、ｂ〜ｄ）を表示させた後、再び同スイッチ４３ｂを操作すると、連続して操作された２回目の操作により、主制御部４１は、視力測定プログラムＳＭＰに基づいて、表示窓２７に視力値が１段小さい視標ａ（又は、ｂ〜ｄ）を表示する。
【００３６】
なお、視標ａ（又は、ｂからｄ）の大きさを変えることなく、その開口方向を切換える場合、応答入力手段４３のスイッチ４３ｂの操作に替えて、方向切替手段４５のスイッチ４５ａ〜４５ｄの何れかを操作することができる。即ち、方向切替手段４５は、被測定者２に乱視等の疑いがあっても正確な視力が測定できる手段を構成している。
【００３７】
なお、以下の説明においては、理解を容易にするために、視標の大きさを変える場合には、応答入力手段４３のスイッチ４３ａ、４３ｂを、視標ａ（又は、ｂ〜ｄ）の大きさを変えずに開口方向のみを切換える場合には、方向切替手段４５のスイッチ４５ａ〜４５ｄを操作するものとして説明する。
【００３８】
前記ステップＡで応答入力手段４３のスイッチ４３ａ（ＯＫの場合）を押すと、主制御部４１は、視力測定プログラムＳＰＭに基づいて、表示装置１０の表示窓２７に視力０．３に対応する補助視標２３ａの視標ａ（又は、ｂ）を表示する。この状態で、被測定者２の応答を確認して、正しい場合には応答入力手段４３のスイッチ４３ａを押す。被測定者２の応答が誤っている場合には、方向切替手段４５のスイッチ４５ｃ（又は、４５ａ）を押して、補助視標群２３ａの視標ａ（又は、ｂ）の開口部の方向を切換えて、被測定者２の応答を確認する。被測定者２の応答が正しければ、応答入力手段４３のスイッチ４３ａを、応答が誤っている場合には、応答入力手段４３のスイッチ４３ｂを押す（ステップＢ）。
【００３９】
前記ステップＢで応答入力手段４３のスイッチ４３ａ（ＯＫの場合）を押すと、主制御部４１は、視力測定プログラムＳＭＰに基づいて、表示装置１０の表示窓２７に視力０．７に対応する補助視標群２３ｂの視標ａ（又は、ｂ）を表示する。この状態で、被測定者２の応答を確認して、正しい場合には応答入力手段４３のスイッチ４３ａを押す。被測定者２の応答が誤っている場合には、方向切替手段４５のスイッチ４５ｄ（又は、４５ａ）を押して、補助視標群２３ｂの視標ａ（又は、ｂ）の開口部の方向を切換えて、被測定者２の応答を確認する。被測定者２の応答が正しければ、応答入力手段４３のスイッチ４３ａを、応答が誤っている場合には、応答入力手段４３のスイッチ４３ｂを押す（ステップＣ）。
【００４０】
前記ステップＢで応答入力手段４３のスイッチ４３ｂ（ＮＧの場合）を押すと、主制御部４１は、視力測定プログラムＳＭＰに基づいて、表示装置１０の表示窓２７に視力０．１５に対応する視標群２２ｎの視標ａ（又は、ｂ〜ｄの何れか）を表示する。この状態で、被測定者２の応答を確認して、正しい場合には応答入力手段４３のスイッチ４３ａを押す。被測定者２の応答が誤っている場合には、方向切替手段４５のスイッチ４５ａ（又は、４５ｂ〜３３ｄの何れか）を押して、視標群２２ｎの視標ａ（又は、ｂ〜ｄの何れか）の開口部の方向を切換えて、被測定者２の応答を確認する。被測定者２の応答が正しければ、応答入力手段４３のスイッチ４３ａを押す。被測定者２の応答が誤っている場合には、被測定者２の視力が０．１であるとして測定を終了する（ステップＤ）。
【００４１】
前記ステップＤで応答入力手段４３のスイッチ４３ａ（ＯＫの場合）を押すと、主制御部４１は、視力測定プログラムＳＭＰに基づいて、表示装置１０の表示窓２７に視力０．２に対応する視標群２２ｂの視標ａ（又は、ｂ〜ｄの何れか）を表示する。この状態で、被測定者２の応答を確認して、正しい場合には応答入力手段４３のスイッチ４３ａを押す。被測定者２の応答が誤っている場合には、方向切替手段４５のスイッチ４５ａ（又は、４５ｂ〜４５ｄの何れか）を押して、視標群２２ｂの視標ａ（又は、ｂ〜ｄの何れか）の開口部の方向を切換えて、被測定者２の応答を確認する。被測定者２の応答が正しければ、応答入力手段４３のスイッチ４３ａを押す。被測定者２の応答が誤っている場合には、被測定者２の視力が０．１５であるとして測定を終了する（ステップＥ）。
【００４２】
前記ステップＥで応答入力手段４３のスイッチ４３ａ（ＯＫの場合）を押すと、主制御部４１は、視力測定プログラムＳＭＰに基づいて、表示装置１０の表示窓２７に視力０．３に対応する視標群２２ｃの視標ａ（又は、ｂ〜ｄの何れか）を表示する。この状態で、被測定者２の応答を確認して、正しい場合には応答入力手段４３のスイッチ４３ａを押す。被測定者２の応答が誤っている場合には、方向切替手段４５のスイッチ４５ａ（又は、４５ｂ〜４５ｄの何れか）を押して、視標群２２ｃの視標ａ（又は、ｂ〜ｄの何れか）の開口部の方向を切換えて、被測定者２の応答を確認する。被測定者２の応答が正しければ、応答入力手段４３のスイッチ４３ａを押す。被測定者２の応答が誤っている場合には、被測定者２の視力が０．２であるとして測定を終了する（ステップＦ）。
【００４３】
なお、測定が進行する間に、被測定者２が測定方法になれることにより、前記ステップＢで応答が誤っていても、前記ステップＤ、Ｅ、Ｆでの応答が正しければ、被測定者の視力は０．３以上であるとして測定を継続し、以下、同様にステップＧ、ステップＨ、・・へ進む。
【００４４】
前記ステップＣで応答入力手段４３のスイッチ４３ｂ（ＮＧの場合）を押すと、主制御部４１は、視力測定プログラムＳＭＰに基づいて、表示装置１０の表示窓２７に視力０．６に対応する視標群２２ｆの視標ａ（又は、ｂ〜ｄの何れか）を表示する。この状態で、被測定者２の応答を確認して、正しい場合には応答入力手段４３のスイッチ４３ａを押す。被測定者２の応答が誤っている場合には、方向切替手段４５のスイッチ４５ａ（又は、４５ｂ〜４５ｄの何れか）を押して、視標群２２ｆの視標ａ（又は、ｂ〜ｄの何れか）の開口部の方向を切換えて、被測定者２の応答を確認する。被測定者２の応答が正しければ、応答入力手段４３のスイッチ４３ａを押す。被測定者２の応答が誤っている場合には、応答入力手段４３のスイッチ４３ｂを押す（ステップＩ）。
【００４５】
前記ステップＩで応答入力手段４３のスイッチ４３ｂ（ＮＧの場合）を押すと、主制御部４１は、視力測定プログラムＳＭＰに基づいて、表示装置１０の表示窓２７に視力０．５に対応する視標群２２ｅの視標ａ（又は、ｂ〜ｄの何れか）を表示する。この状態で、被測定者２の応答を確認して、正しい場合には、被測定者２の視力は０．５であるとして測定を終了する。被測定者２の応答が誤っている場合には、方向切替手段４５のスイッチ４５ａ（又は、４５ｂ〜４５ｄの何れか）を押して、視標群２２ｅの視標ａ（又は、ｂ〜ｄの何れか）の開口部の方向を切換えて、被測定者２の応答を確認する。被測定者２の応答が正しければ、被測定者２の視力は０．５であるとして測定を終了する。被測定者２の応答が誤っている場合には、応答入力手段４３のスイッチ４３ｂを押す（ステップＪ）。
【００４６】
前記ステップＪで応答入力手段４３のスイッチ４３ｂ（ＮＧの場合）を押すと、主制御部４１は、視力測定プログラムＳＭＰに基づいて、表示装置１０の表示窓２７に視力０．４に対応する視標群２２ｄの視標ａ（又は、ｂ〜ｄの何れか）を表示する。この状態で、被測定者２の応答を確認して、正しい場合には、被測定者２の視力は０．４であるとして測定を終了する。被測定者２の応答が誤っている場合には、方向切替手段４５のスイッチ４５ａ（又は、４５ｂ〜４５ｄの何れか）を押して、視標群２２ｄの視標ａ（又は、ｂ〜ｄの何れか）の開口部の方向を切換えて、被測定者２の応答を確認する。被測定者２の応答が正しければ、被測定者２の視力は０．４であるとして測定を終了する。被測定者２の応答が誤っている場合には、被測定者２の視力は０．３であるとして測定を終了する（ステップＫ）。
【００４７】
前記ステップＩで応答入力手段４３のスイッチ４３ａ（ＯＫの場合）を押すと、主制御部４１は、視力測定プログラムＳＭＰに基づいて、表示装置１０の表示窓２７に視力０．７に対応する視標群２２ｇの視標ａ（又は、ｂ〜ｄの何れか）を表示する。この状態で、被測定者２の応答を確認して、被測定者２の応答が誤っている場合には、方向切替手段４５のスイッチ４５ａ（又は、４５ｂ〜４５ｄの何れか）を押して、視標群２２ｇの視標ａ（又は、ｂ〜ｄの何れか）の開口部の方向を切換えて、被測定者２の応答を確認する。被測定者２の応答が誤っている場合には、被測定者２の視力は０．６であるとして測定を終了する。被測定者２の応答が正しい場合には、応答入力手段４３のスイッチ４３ａを押す（ステップＬ）。
【００４８】
なお、測定が進行する間に、被測定者２が測定方法になれることにより、前記ステップＣで応答が誤っていても、前記ステップＩ、Ｌでの応答が正しければ、被測定者の視力は０．７以上であるとして測定を継続し、以下、同様にステップＭ、ステップＮ、・・へ進む。
【００４９】
前記ステップＣで応答入力手段４３のスイッチ４３ａ（ＯＫの場合）を押すと、主制御部４１は、視力測定プログラムＳＭＰに基づいて、表示装置１０の表示窓２７に視力１．０に対応する視標群２２ｊの視標ａ（又は、ｂ〜ｄの何れか）を表示する。この状態で、被測定者２の応答を確認して、正しい場合には応答入力手段４３のスイッチ４３ａを押す。被測定者２の応答が誤っている場合には、方向切替手段４５のスイッチ４５ａ（又は、４５ｂ〜４５ｄの何れか）を押して、視標群２２ｊの視標ａ（又は、ｂ〜ｄの何れか）の開口部の方向を切換えて、被測定者２の応答を確認する。被測定者２の応答が正しければ、応答入力手段４３のスイッチ３２ａを押す。被測定者２の応答が誤っている場合には、応答入力手段４３のスイッチ４３ｂを押す（ステップＯ）。
【００５０】
前記ステップＯで応答入力手段４３のスイッチ４３ｂ（ＮＧの場合）を押すと、主制御部４１は、視力測定プログラムＳＭＰに基づいて、表示装置１０の表示窓２７に視力０．９に対応する視標群２２ｉの視標ａ（又は、ｂ〜ｄの何れか）を表示する。この状態で、被測定者２の応答を確認して、正しい場合には、被測定者２の視力は０．９であるとして測定を終了する。被測定者２の応答が誤っている場合には、方向切替手段４５のスイッチ４５ａ（又は、４５ｂ〜４５ｄの何れか）を押して、視標群２２ｉの視標ａ（又は、ｂ〜ｄの何れか）の開口部の方向を切換えて、被測定者２の応答を確認する。被測定者２の応答が正しければ、被測定者２の視力は０．９であるとして測定を終了する。被測定者２の応答が誤っている場合には、応答入力手段４３のスイッチ４３ｂを押す（ステップＰ）。
【００５１】
前記ステップＰで応答入力手段４３のスイッチ４３ｂ（ＮＧの場合）を押すと、主制御部４１は、視力測定プログラムＳＭＰに基づいて、表示装置１０の表示窓２７に視力０．８に対応する視標群２２ｈの視標ａ（又は、ｂ〜ｄの何れか）を表示する。この状態で、被測定者２の応答を確認して、正しい場合には、被測定者２の視力は０．８であるとして測定を終了する。被測定者２の応答が誤っている場合には、方向切替手段４５のスイッチ４５ａ（又は、４５ｂ〜４５ｄの何れか）を押して、視標群２２ｈの視標ａ（又は、ｂ〜ｄの何れか）の開口部の方向を切換えて、被測定者２の応答を確認する。被測定者２の応答が正しければ、被測定者２の視力は０．８であるとして測定を終了する。被測定者２の応答が誤っている場合には、被測定者２の視力は０．７であるとして測定を終了する（ステップＱ）。
【００５２】
前記ステップＯで応答入力手段４３のスイッチ４３ａ（ＯＫの場合）を押すと、主制御部４１は、視力測定プログラムＳＭＰに基づいて、表示装置１０の表示窓２７に視力１．２に対応する視標群２２ｋの視標ａ（又は、ｂ〜ｄの何れか）が表示される。この状態で、被測定者２の応答を確認して、被測定者２の応答が誤っている場合には、方向切替手段４５のスイッチ４５ａ（又は、４５ｂ〜４５ｄの何れか）を押して、視標群２２ｋの視標ａ（又は、ｂ〜ｄの何れか）の開口部の方向を切換えて、被測定者２の応答を確認する。被測定者２の応答が誤っている場合には、被測定者２の視力は１．０であるとして測定を終了する。被測定者２の応答が正しい場合には、応答入力手段４３のスイッチ４３ａを押す（ステップＲ）。
【００５３】
前記ステップＲで応答入力手段４３のスイッチ４３ａ（ＯＫの場合）を押すと、主制御部４１は、視力測定プログラムＳＭＰに基づいて、表示装置１０の表示窓２７に視力１．５に対応する視標群２２ｌの視標ａ（又は、ｂ〜ｄの何れか）を表示する。この状態で、被測定者２の応答を確認して、被測定者２の応答が誤っている場合には、方向切替手段４５のスイッチ４５ａ（又は、４５ｂ〜４５ｄの何れか）を押して、視標群２２ｌの視標ａ（又は、ｂ〜ｄの何れか）の開口部の方向を切換えて、被測定者２の応答を確認する。被測定者２の応答が誤っている場合には、被測定者２の視力は１．２であるとして測定を終了する。被測定者２の応答が正しい場合には、応答入力手段４３のスイッチ４３ａを押す（ステップＳ）。
【００５４】
前記ステップＳで応答入力手段４３のスイッチ４３ａ（ＯＫの場合）を押すと、主制御部４１は、視力測定プログラムＳＭＰに基づいて、表示装置１０の表示窓２７に視力２．０に対応する視標群２２ｍの視標ａ（又は、ｂ〜ｄの何れか）を表示する。この状態で、被測定者２の応答を確認して、被測定者２の応答が誤っている場合には、方向切替手段４５のスイッチ４５ａ（又は、４５ｂ〜４５ｄの何れか）を押して、視標群２２ｍの視標ａ（又は、ｂ〜ｄの何れか）の開口部の方向を切換えて、被測定者２の応答を確認する。被測定者２の応答が誤っている場合には、被測定者２の視力は１．５であるとして測定を終了する。被測定者２の応答が正しい場合には、被測定者２の視力は２．０であるとして測定を終了する（ステップＴ）。
【００５５】
前記実施の形態に示すように、視標群の一つとして、視力値０．１５に対応する視標群２２ｎを設けることにより、０．１前後の視力の弱い部分をより細かく測定することができ、眼鏡、コンタクトレンズ等の調整をより正確に行なうことができる。
【００５６】
また、前記の実施の形態においては、視力値の小さな視標群２２ａと視標群２２ｎの間に、それよりも大きな視力値に対応した補助視標群２３ａ、２３ｂを配置している。そして、視標群２２ａが識別できる被測定者２については、補助視標群２３ａ、２３ｂの識別が可能か否かを判定し、補助視標群２３ａ、２３ｂで判定された視力値に対応する視標群２２ｎ（視力０．１５に対応）、視標群２２ｆ（視力０．６に対応）あるいは視標群２２ｊ（視力１．０に対応）から視力測定を行なうようにしている。
【００５７】
なお、本発明は、視力値の小さな複数の視標の間に、それら視標の視力値よりも大きな視力値に対応する視標を配置すればよく、必ずしも、視力値の小さな複数の視標からそれぞれ構成される視標群２２ａと視標群２２ｂの間に、それよりも大きな視力値に対応した複数の視標からそれぞれ構成される補助視標群２３ａ、２３ｂを配置する必要はない。即ち、視力値の小さなそれぞれ一つの視標、例えば、視力値０．１（値は任意）の一つの視標と視力値０．２（値は任意）の一つの視標の間に、視力値０．４（値は任意）と視力値０．８（値は任意）に対応する視標を、一つずつ配置してもよい。更に、視力値の小さなそれぞれ一つ以上の視標、例えば、視力値０．１（値は任意）の一つ以上の視標と視力値０．２（値は任意）の一つ以上の視標の間に、視力値０．４（値は任意）と視力値０．８（値は任意）に対応する視標を、一つ以上ずつ配置してもよい。
【００５８】
従来のように、視力値を一段づつ上げて被測定者２の視力を測定する場合に比べ、不必要な視力値に対応する視標による判定を省略することができる。また、視力値を複数段飛ばして表示窓２７に視標を表示させ、被測定者２の視力の見当をつける場合に比べ、視標テープ２１の往復移動量を大幅に減少させることができる。従って、測定時間を短縮することができる。例えば、前記実施の形態の場合、視力値０．１、０．３、０．７の視標群２２ａ、２３ａ、２３ｂが視標テープ２１上に隣接した形で配置されているので、被測定者２の視力の見当付けに要する視標テープ２１の送り量は、図３の距離Ｌ１の範囲内で済み、従来のように、視標テープ２１上に順番に配置された視力値０．１、０．３、０．７の視標群２２ａ、２２ｃ、２２ｇ間の距離Ｌ２、Ｌ３の長い距離で視標テープ２１を送らずに済み、測定時間は大幅に短縮される。
【００５９】
なお、前記補助視標群２３ａ、２３ｂの視力値は、視力値０．３と視力値０．７の組み合わせに限らず、例えば、視力値０．４と視力値０．８の組み合わせであってもよい。また、さらに他の視力値の組み合わせであってもよい。また、補助視標群の数は、例えば、視力値０．３と視力値０．７と視力値１．０のように数を多くしてもよい。即ち、補助視標群を構成する視標は、その視力値と数を、適宜設定することができる。
【００６０】
なお、前記実施の形態においては、理解を容易にするために、応答入力手段４３のスイッチ４３ａ、４３ｂと、方向切換え手段４５のスイッチ４５ａ〜４５ｄを使用して視力の測定を行なう場合について説明したが、応答入力手段４３のスイッチ４３ａ、４３ｂの操作だけで視力測定を行なうこともできる。
【００６１】
なお、視力測定プログラムＳＭＰによらず、測定者３が視標選択手段４６のスイッチ４６ａ〜４６ｎにより、表示窓２７に表示する視表を適宜選択して視力の測定を行なうようにしてもよい。また、視力測定プログラムＳＭＰに基づいて視力測定している途中で、視標選択手段４６のスイッチ４６ａ（又は、４６ｂ〜４６ｎの何れか）を操作し、視力測定プログラムＳＭＰから離れた視力測定を行なってもよい。
【００６２】
測定者３の経験を生かし、視力測定プログラムＳＭＰによらず、該視標選択手段４６で選択された視力値に対応する視標群２２ａ（又は、２２ｂ〜２２ｎの何れか）を前記表示窓２７に表示することによっても、正確な視力測定を迅速に行なうことができる。
【００６３】
また、視力測定プログラムＳＭＰも、図６に例示したものに限らず、適宜設定することができる。
【図面の簡単な説明】
【図１】本発明の視力測定装置による視力測定状態を示す斜視図。
【図２】図１における表示装置の内部を示す斜視図。
【図３】図２における視標テープの展開図。
【図４】図１に示す制御装置の正面図。
【図５】図１における制御装置のブロック線図。
【図６】視力測定のプログラムを示す説明図。
【符号の説明】
１０…表示装置
２１…視標テープ
２２ａ〜２２ｎ…視標群
ａ〜ｄ…視標
２３ａ、２３ｂ…補助視標群
２７…表示窓
４０…制御装置
４１…視力測定手順実行手段（主制御部）
４３…応答入力手段
４５…指標表示手段（方向選択手段）
４６…視標選択手段
ＳＭＰ…視力測定プログラム
【図１】
2004097282.tif 000003
【図２】
2004097282.tif 000004
【図３】
2004097282.tif 000005
【図４】
2004097282.tif 000006
【図５】
2004097282.tif 000007
【図６】
2004097282.tif 000008